(57)【特許請求の範囲】
【請求項１】
屋根稜線部（Ｐ）の左右に複数枚ずつの熨斗瓦（２Ａ〜２Ｅ）を積層してなる熨斗瓦設置構造であって、
上記屋根稜線部（Ｐ）上に、釘打ち可能な木材製で左右の各熨斗瓦（２Ａ〜２Ｅ）を位置決めするための熨斗瓦位置決め台（４）を固定し、
上記熨斗瓦位置決め台（４）は、各熨斗瓦積層高さ間隔（Ｈ）と同高さ（ｈ）で且つ熨斗瓦積層個数と同数でしかも幅が順次小さくなるような複数本の長尺角材（４１〜４５）を用いて、該各長尺角材（４１〜４５）を上側の長尺角材が下側の長尺角材より狭幅となる状態で順次上下に積み重ねて一体的に固定したものを採用することで、上記各長尺角材（４１〜４５）の上面側左右両角部に上記各熨斗瓦（２Ａ〜２Ｅ）の棟側縁部（２ａ）を載せ掛け得る縁部載掛部（５１〜５５）を形成している一方、
上記各熨斗瓦（２Ａ〜２Ｅ）は、上記棟側縁部（２ａ）付近に釘止め用の釘挿通穴（２３）を設けたものを使用しているとともに、
上記各熨斗瓦（２Ａ〜２Ｅ）は、それぞれ上記棟側縁部（２ａ）を上記熨斗瓦位置決め台（４）の所定高さ位置にある各縁部載掛部（５１〜５５）に載せ掛けた状態で上記釘挿通穴（２３）を通して上記熨斗瓦位置決め台（４）に釘（１０）を打ち込んで固定している、
ことを特徴とする熨斗瓦設置構造。
【請求項２】
請求項１において、
上記熨斗瓦位置決め台（４）の上記各縁部載掛部（５１〜５５）には、上記各熨斗瓦（２Ａ〜２Ｅ）の棟側縁部（２ａ）を所定小幅（Ｔ）だけ載せ掛けた状態で該棟側縁部（２ａ）の前端を衝合させ得る衝合部（４２ａ〜４６ａ）を設けているとともに、
上記各衝合部（４２ａ〜４６ａ）は、熨斗瓦（２Ａ〜２Ｅ）の棟側縁部（２ａ）を載せ掛けた上記各縁部載掛部（５１〜５５）のそれぞれ上面側に位置する長尺角材（４２〜４６）の左右各側面を利用している、
ことを特徴とする熨斗瓦設置構造。
【発明の詳細な説明】
【技術分野】
【０００１】
本願発明は、屋根稜線部の左右に複数枚ずつの熨斗瓦を積層してなる熨斗瓦設置構造に関するものである。
【背景技術】
【０００２】
屋根稜線部に設置される棟瓦は、一般に図６に示すように、屋根稜線部Ｐの左右に複数枚ずつ積層（段積み）される左右の各熨斗瓦２Ａ〜２Ｅと、最上段の左右熨斗瓦２Ｅ，２Ｅ上に載置される冠瓦３とを有している。
【０００３】
そして、この種の棟瓦は、台風や地震等により、位置ずれしたりひどいときには剥落・崩壊等の危険があるが、このような位置ずれや剥落・崩壊等を防止するために、従来から左右の各熨斗瓦２Ａ〜２Ｅ同士及び冠瓦３を針金６，７で連結することが行われている。
【０００４】
即ち、図６の棟瓦設置構造（本願との比較対象は熨斗瓦設置構造部分）では、屋根稜線部Ｐ（左右の野地板８，８の突き合わせ部）上の左右に設置した最上部の各桟瓦１，１上に、左右１組とする熨斗瓦（２Ａ，２Ａ〜２Ｅ，２Ｅ）を適数段（図示例では５段）積み重ねて、該各段（１組）の熨斗瓦２Ａ，２Ａ〜２Ｅ，２Ｅ同士をそれぞれ各組ごとに針金６で連結している。尚、この各段（１組）の熨斗瓦２Ａ，２Ａ〜２Ｅ，２Ｅ間の間隔は、作業員の目分量で決められるが、該間隔を上段側ほど少しずつ狭くして、上段側の熨斗瓦の外端が下段側の熨斗瓦の外端より外側にはみ出さないようにしている。
【０００５】
他方、最上部の桟瓦１と最下段の熨斗瓦２間、上下の熨斗瓦２，２間、最上段の熨斗瓦２と棟瓦３間には、それぞれ葺土（漆喰）９が介在されているが、この各瓦間の葺土９の盛り量は、作業員の目分量によって決められている。尚、左右１組の熨斗瓦（２Ａ，２Ａ〜２Ｅ，２Ｅ）の各下面側に介在させる葺土９の盛り量に差があると、該葺土９が少ない盛り量側の熨斗瓦が該葺土９が多い盛り量側の熨斗瓦より傾斜角度が緩くなって、左右１組の熨斗瓦（２Ａ，２Ａ〜２Ｅ，２Ｅ）の内方側端部の高さが異なることになり、しかも棟長さ方向に隣接する同高さの熨斗瓦同士にも（特に内方側端部において）段差ができることになる。
【０００６】
ところで、棟部の熨斗瓦積層部分は、台風や地震等に対する強度が重要であることはもちろんであるが、該熨斗瓦積層部分には、装飾的及び美観的な要素もある。即ち、装飾的（美観的）な面では、熨斗瓦積層部分は、左右各段の各熨斗瓦２Ａ〜２Ｅの外面同士が同一高さの直線状に連続しているとともに、熨斗瓦全体の左右側面が内外方向に出入りのない状態で（ほぼ面一状に）揃っていることが求められる。
【発明の概要】
【発明が解決しようとする課題】
【０００７】
ところで、図６に示す従来の棟瓦設置構造（特に熨斗瓦部分の設置構造）では、次のような問題があった。
【０００８】
まず、左右同高さに位置する１組の熨斗瓦２Ａ，２Ａ〜２Ｅ，２Ｅ（合計５段ある）同士は、それぞれ各組ごとに針金６で連結されているが、上下に位置する各組の熨斗瓦２Ａ〜２Ｅ同士は何も連結されていないので、各熨斗瓦２Ａ〜２Ｅにおける上と下の連結強度は弱いものであった。
【０００９】
又、各熨斗瓦２Ａ〜２Ｅは、棟上部の構造体（野地板８，８）に対して何ら固定（連結）されていないので、各熨斗瓦２Ａ〜２Ｅ及び冠瓦３を含む棟瓦全体の設置強度は弱いものであった。従って、例えば大きな地震が発生したときには、棟瓦全体が棟上部の構造体（野地板８，８）に対して位置ずれしたり崩落する虞れがある。
【００１０】
他方、熨斗瓦積層部分には、装飾的及び美観的な要素も求められるが、図６（従来）の熨斗瓦設置構造では、各熨斗瓦２Ａ〜２Ｅの葺設時に特に位置決め用の指標となるものはなく、各熨斗瓦２Ａ〜２Ｅを作業員の目分量（勘）によって適正位置と思われる位置に配置しているのが現状である。又、上下の各瓦間に介在させる葺土９の盛り量も作業員の目分量で決められる。ところが、このように各熨斗瓦２Ａ〜２Ｅの配置位置（あるいは葺土９の盛り量）を作業員の目分量で決める場合は、熟練者の作業であっても各熨斗瓦２Ａ〜２Ｅが位置ずれしたり姿勢がずれたりすることがあり、葺設した熨斗瓦積層部分に美観的な難点が生じることがある。
【００１１】
そこで、本願発明は、熨斗瓦設置工事において、左右に複数枚ずつ積層される各熨斗瓦をそれぞれ単独で高強度に組付け得るとともに、熨斗瓦積層部分を装飾的及び美観的にきれいに組付け得るようにした熨斗瓦設置構造を提供することを目的としてなされたものである。
【課題を解決するための手段】
【００１２】
本願発明は、上記課題を解決するための手段として次の構成を有している。尚、本願発明は、図１に例示するように、屋根稜線部Ｐの左右に複数枚（図示例では５枚）ずつの熨斗瓦２Ａ〜２Ｅを積層してなる熨斗瓦設置構造を対象にしたものである。
【００１３】
［本願請求項１の発明］
本願請求項１の発明の熨斗瓦設置構造では、図１、図４〜図５に例示するように、屋根稜線部Ｐ上に、釘打ち可能な木材製で左右の各熨斗瓦２Ａ〜２Ｅを位置決めするための熨斗瓦位置決め台４を固定している。
【００１４】
この熨斗瓦位置決め台４は、各熨斗瓦積層高さ間隔Ｈと同高さｈで且つ熨斗瓦積層個数（図示例では５個）と同数でしかも幅が順次少しずつ（例えば５〜６mmずつ）小さくなるような複数本の長尺角材４１〜４５を用いて、該各長尺角材４１〜４５を上側の長尺角材が下側の長尺角材より狭幅となる状態で順次上下に積み重ねて一体的に固定したものを採用している。尚、図示例（実施例）では、後述する請求項２に対応して、第５段の長尺角材４５の上にもう１本（第５段の長尺角材より狭幅）の長尺角材４６を積み重ねて、合計６本の長尺角材４１〜４６で熨斗瓦位置決め台４を構成している。
【００１５】
そして、熨斗瓦位置決め台４を上記のように構成することにより、各長尺角材（下から第５段までの５本）４１〜４５の上面側左右両角部には、それぞれ各熨斗瓦２Ａ〜２Ｅの棟側縁部２ａを載せ掛け得る縁部載掛部５１〜５５を形成している。この左右各段の縁部載掛部５１〜５５は、上側（狭幅）の長尺角材の幅中心を下側（広幅）の長尺角材の幅中心に位置合わせした状態で順次積み重ねることで、下側の各長尺角材４１〜４５の上面側左右両角部にそれぞれ自動的に形成することができる。
【００１６】
上記６本の長尺角材４１〜４６で構成される熨斗瓦位置決め台４は、例えば後述の実施例のように、屋根稜線部Ｐ上に間隔をもって立設固定した支持台４７，４７上に、まず最下段（第１段）の長尺角材４１を横向き姿勢で載せて固定（釘打ち）し、次にその上に第２段の長尺角材４２を載せて該第２段長尺角材４２を先の第１段長尺角材４１にビス固定し、順次同様に第３段長尺角材４３、第４段長尺角材４４、第５段長尺角材４５、第６段長尺角材４６を積み重ね状態でそれぞれビス止めすることで強固に一体化させることができる。
【００１７】
そして、各長尺角材（下から第５段までの５本）４１〜４５は、それぞれ各熨斗瓦積層高さ間隔Ｈと同高さｈのものを使用しているので、それらの長尺角材４１〜４５を積み重ねた状態では、各長尺角材４１〜４５の上面側左右両角部にある１組の縁部載掛部５１，５１〜５５，５５は相互に同高さに位置しているとともに、上下に位置する各縁部載掛部５１〜５５の高さ間隔ｈも相互に同じになる。
【００１８】
他方、各熨斗瓦２Ａ〜２Ｅは、上記棟側縁部２ａ付近に釘止め用の釘挿通穴２３を設けたものを使用している。この釘挿通穴２３は、図１〜図３に示すように釘１０を熨斗瓦上面側から内側斜め方向に向けて打ち込み得るように形成している。
【００１９】
そして、本願請求項１の発明の熨斗瓦設置構造では、各熨斗瓦２Ａ〜２Ｅは、それぞれ上記棟側縁部２ａを上記熨斗瓦位置決め台４の所定高さ位置にある各縁部載掛部５１〜５５に載せ掛けた状態で上記各釘挿通穴２３を通して熨斗瓦位置決め台４に釘１０を打ち込んで固定していることを特徴としている。
【００２０】
この請求項１の熨斗瓦設置構造では、左右１組とする各段の熨斗瓦２Ａ，２Ａ〜２Ｅ，２Ｅは、それぞれ各棟側縁部２ａ，２ａを屋根稜線部Ｐ上に固定している熨斗瓦位置決め台４の左右各側面にある各縁部載掛部５１〜５５に載せ掛けているが、左右各側にある１組の縁部載掛部５１，５１〜５５，５５は相互に同高さに位置しているので、左右１組とする各熨斗瓦２Ａ，２Ａ〜２Ｅ，２Ｅがそれぞれ左右同高さ位置の対称位置にあって、しかも上下に積層された各熨斗瓦２Ａ〜２Ｅが同高さ間隔Ｈで組付けられた状態で、各熨斗瓦２Ａ〜２Ｅの各棟側縁部２ａがそれぞれ釘１０で熨斗瓦位置決め台４に固定されることになる。
【００２１】
［本願請求項２の発明］
本願請求項２の発明は、上記請求項１の熨斗瓦設置構造において、上記熨斗瓦位置決め台４の上記各縁部載掛部５１〜５５には、各熨斗瓦２Ａ〜２Ｅの棟側縁部２ａを所定小幅だけ載せ掛けた状態で該棟側縁部２ａの前端を衝合させ得る衝合部４２ａ〜４６ａを設けているとともに、上記各衝合部４２ａ〜４６ａは、熨斗瓦２Ａ〜２Ｅの棟側縁部２ａを載せ掛けた上記各縁部載掛部５１〜５５のそれぞれ上面側に位置する長尺角材４２〜４６の左右各側面を利用していることを特徴としている。
【００２２】
そして、この請求項２の熨斗瓦設置構造では、左右各段の熨斗瓦２Ａ，２Ａ〜２Ｅ，２Ｅを熨斗瓦位置決め台４部分に組付ける際に、各熨斗瓦２Ａ〜２Ｅのそれぞれ棟側縁部２ａを上記各縁部載掛部５１〜５５に載せ掛けした状態で該各棟側縁部２ａの前端をそれぞれ上記各衝合部４２ａ〜４６ａ（各長尺角材の左右側面）に衝合させることにより、各熨斗瓦２Ａ〜２Ｅの左右位置をそれぞれ適正位置に位置決めできる。
【発明の効果】
【００２３】
［本願請求項１の発明の効果］
本願請求項１の熨斗瓦設置構造では、次のような効果がある。
【００２４】
まず、屋根稜線部Ｐの左右に積層される各熨斗瓦２Ａ〜２Ｅの各棟側縁部２ａを、屋根稜線部Ｐ上に固定した熨斗瓦位置決め台４の左右各側面に形成している各段の縁部載掛部５１〜５５（左右１組のものが相互に同高さに位置している）にそれぞれ載せ掛けしているので、左右各組の各熨斗瓦２Ａ，２Ａ〜２Ｅ，２Ｅ同士の高さをそれぞれ正確に位置決めできる。従って、各段の熨斗瓦２Ａ〜２Ｅの高さが棟長さ方向に直線状に揃うので、該各熨斗瓦２Ａ〜２Ｅを美観的にきれいに施工できるとともに、各熨斗瓦２Ａ〜２Ｅの正確な高さ合わせを容易に行えるという効果がある。尚、図６の従来例では、各熨斗瓦２Ａ〜２Ｅの下面側に介在させる葺土９の盛り量に差があると、左右１組の熨斗瓦２Ａ，２Ａ〜２Ｅ，２Ｅの内方側端部の高さが異なることになるが、本願ではこのような高さ相違は発生しない。
【００２５】
又、左右の各熨斗瓦２Ａ〜２Ｅは、その各棟側縁部２ａを屋根稜線部Ｐに固定した熨斗瓦位置決め台４の各縁部載掛部５１〜５５に載せ掛けた状態で、該各棟側縁部２ａを熨斗瓦位置決め台４に対して釘打ちにより固定しているので、該各熨斗瓦２Ａ〜２Ｅの組付け強度を強くできる（例えば大きな地震が発生したときでも、各熨斗瓦が棟上部の構造体に対して位置ずれしたり崩落しない）という効果がある。
【００２６】
又、熨斗瓦位置決め台４の左右各側面に形成している各段の縁部載掛部５１〜５５は、上段側ほど順次狭幅となる各長尺角材４１〜４５を上下に積み重ねることで、各長尺角材の上面側左右両角部にそれぞれ自動的に（特別な加工を施すことなく）形成することができる。
【００２７】
［本願請求項２の発明の効果］
本願請求項２の発明では、上記請求項１の熨斗瓦設置構造において、熨斗瓦位置決め台４の各縁部載掛部５１〜５５に、各熨斗瓦２Ａ〜２Ｅの棟側縁部２ａを所定小幅だけ載せ掛けた状態で該棟側縁部２ａの前端を衝合させ得る衝合部４２ａ〜４６ａを設けているので、各熨斗瓦２Ａ〜２Ｅの左右位置をそれぞれ適正位置に位置決めできる。
【００２８】
従って、この請求項２の熨斗瓦設置構造では、上記請求項１の効果に加えて、各熨斗瓦２Ａ〜２Ｅの左右位置をそれぞれ適正位置に位置決めできることにより、各熨斗瓦２Ａ〜２Ｅの外端が内外方向に出入りすることなくきれいに施工できるとともに、その各熨斗瓦２Ａ〜２Ｅの内外方向の位置合わせを容易に行えるという効果がある。尚、図６の従来例では、各段に設置される各熨斗瓦２Ａ〜２Ｅの内外方向の位置決めは、それぞれ作業員の目分量で決めていたので、熟練者の作業であっても各熨斗瓦２Ａ〜２Ｅが内外方向に位置ずれすることがあるが、本願請求項２では各熨斗瓦２Ａ〜２Ｅが内外方向に位置ずれすることはない。
【００２９】
又、上記各衝合部４２ａ〜４６ａは、上記各長尺角材４２〜４６の左右各側面を利用しているので、特別な加工をすることなく形成できる。
【図面の簡単な説明】
【００３０】
【図１】本願実施例の熨斗瓦設置構造を採用した棟部の断面図である。
【図２】図１の熨斗瓦設置構造に使用される熨斗瓦の斜視図である。
【図３】図２のIII−III断面相当図である。
【図４】図１の熨斗瓦設置構造を採用する屋根稜線部付近の斜視図である。
【図５】図１の熨斗瓦設置構造における施工初期段階の説明図である。
【図６】従来の熨斗瓦設置構造を示す断面図である。
【発明を実施するための形態】
【００３１】
［実施例］
以下、図１〜図５を参照して本願実施例の熨斗瓦設置構造を説明する。
【００３２】
図１に示す本願実施例の熨斗瓦設置構造は、棟瓦として、屋根稜線部Ｐ（野地板８，８の突き合わせ部分）上の左右に設置された最上部の各桟瓦１，１上に、左右２つの熨斗瓦を１組とする５組の熨斗瓦２Ａ〜２Ｅを積層し、さらに最上段の左右１組の熨斗瓦２Ｅ，２Ｅ上に冠瓦３を載置したものを採用している。尚、熨斗瓦２Ａ〜２Ｅ部分の段数は、複数段であれば適数段（２段以上）のものを採用できる。又、この実施例において、各段の熨斗瓦に付している２Ａ〜２Ｅの符号は、２Ａが最下段（１段目）、２Ｂが下から２段目、２Ｃが下から３段目、２Ｄが下から４段目、２Ｅが最上段（５段目）のものである。
【００３３】
各熨斗瓦２Ａ〜２Ｅは、若干湾曲させた平板状で所定面積を有した矩形に形成されている。又、この各熨斗瓦２Ａ〜２Ｅには、設置状態で屋根稜線部Ｐに近い側の側縁部（棟側縁部）２ａ付近に釘止め用の釘挿通穴２３を設けている。この実施例では、図２に示すように該釘挿通穴２３を間隔をもった３箇所に設けている。
【００３４】
この各釘挿通穴２３，２３，２３は、図２及び図３に示すように、釘１０を斜め内方（例えば角度６０°方向）に向けて打ち込み得るようにしたものであるが、熨斗瓦成形時の型抜きの関係で、下方に向けて末広がり状（ラッパ状）に形成するとよい。又、熨斗瓦２Ａ〜２Ｅの棟側縁部２ａ寄りの上面には、段上げ部２１を形成してその軒側に傾斜面部２２を設け、該傾斜面部２２に釘挿通穴２３を設けていることにより、釘１０が斜め方向（例えば角度６０°方向）に打ち込まれたときに該釘１０の頭部を斜め状態で着座させ得るようにしている（図３の符号１０′参照）。
【００３５】
屋根稜線部Ｐ上には、釘打ち可能な材料製で左右の各熨斗瓦２Ａ〜２Ｅを位置決めするための熨斗瓦位置決め台４を固定している。
【００３６】
この実施例では、熨斗瓦位置決め台４として、木材製で第１段から第６段までの６本の長尺角材４１〜４６を上下に積み重ねたものを採用している。そして、この熨斗瓦位置決め台４は、図４に示すように、屋根稜線部Ｐ上に間隔をもって立設固定した支持台（左右一対を１組としている）４７，４７上に、まず最下段（第１段）の長尺角材４１を横向き姿勢で載せて左右各側から釘４８，４８で固定し、次にその上に第２段の長尺角材４２を載せて該第２段長尺角材４２を先の第１段長尺角材４１にビス４９で固定し、順次同様に第３段長尺角材４３、第４段長尺角材４４、第５段長尺角材４５、第６段長尺角材４６を積み重ね状態でそれぞれビス４９，４９・・をねじ込むことで強固に一体化させている。従って、各長尺角材４１〜４６からなる熨斗瓦位置決め台４は、屋根稜線部Ｐ上に安定姿勢で固定されている。
【００３７】
尚、熨斗瓦位置決め台４としては、上記第１段から第６段までの６本の長尺角材４１〜４６で構成されているが、この実施例では、図１、図４、図５に示すように第６段の長尺角材４６の上に、冠瓦３（図１）をビス８で固定するための第７段の長尺角材４０Ａを積み重ねている。そして、この第７段の長尺角材４０Ａも、第６段の長尺角材４６に対してビス４９で一体化させている。尚、他の実施例では、この第７段の長尺角材４０Ａを省略してもよい。
【００３８】
熨斗瓦位置決め台４を構成する第１段〜第６段の各長尺角材４１〜４６の各高さ（図５の高さｈ）は、上下に積層される各熨斗瓦２Ａ〜２Ｅの積層高さ間隔（図１の間隔Ｈ）と同じに設定されている。尚、該高さｈ（及び間隔Ｈ）は、特に限定するものではないが、例えば３０mm程度が適当である。
【００３９】
他方、第１〜第６の各長尺角材４１〜４６の幅は、上段側のものが下段側のものより順次例えば５〜６mm程度ずつ狭くなるように設定している。そして、上下に積層された２つの長尺角材（例えば第１段長尺角材４１と第２段長尺角材４２、第２段長尺角材４２と第３段長尺角材４３、以下同様に第５段長尺角材４５と第６段長尺角材４６）において、下段側長尺角材（例えば第１段長尺角材４１）の上面側左右両角部には、図５に符号Ｔで示す小幅（Ｔ＝例えば２.５〜３mm程度）の水平棚部（符号５１〜５５）が形成されていて、この各水平棚部（符号５１〜５５）が、各熨斗瓦２Ａ〜２Ｅの棟側縁部２ａを載せ掛けするための縁部載掛部５１〜５５となっている。尚、この左右各段の縁部載掛部５１〜５５は、例えば図５に示すように、上側（狭幅）の長尺角材の幅中心を下側（広幅）の長尺角材の幅中心に位置合わせした状態で積み重ねることで、各長尺角材４１〜４５の上面側左右両角部にそれぞれ自動的に（特別な加工を施すことなく）形成することができる。
【００４０】
又、この各縁部載掛部５１〜５５には、各熨斗瓦２Ａ〜２Ｅの棟側縁部２ａを所定小幅（例えば図５の幅Ｔ）載せ掛けた状態で該棟側縁部２ａの前端を衝合させ得る衝合部４２ａ〜４６ａを設けている。この各衝合部４２ａ〜４６ａは、当該縁部載掛部（例えば符号５１）を有する下段側長尺角材（例えば第１段長尺角材４１）の上に載置されている上段側長尺角材（例えば第２段長尺角材４２）の左右側面（例えば符号４２ａ，４２ａ）が相当するものである。
【００４１】
図１〜図５に示す実施例の熨斗瓦設置構造は、次のようにして組付けられる。
【００４２】
まず、図４に示すように、屋根稜線部Ｐ（左右野地板８，８の突き合わせ部）の上に、複数段（全６段）の長尺角材４１〜４６からなる熨斗瓦位置決め台４を各支持台４７，４７を介して屋根稜線部Ｐと平行姿勢で固定しておく。尚、この実施例では、図４に示すように第６段長尺角材４６の上に冠瓦ビス止め用の第７段長尺角材４０Ａもビス４９で同時に固定している。
【００４３】
この熨斗瓦位置決め台４の左右各側面には、それぞれ上下に所定間隔（図５の高さｈ）をもって５つの縁部載掛部５１〜５５が設けられている。尚、左右１組とする各側の縁部載掛部同士は、それぞれ相互に同高さに位置している。
【００４４】
そして、図５に示すように、各野地板８，８上の最上部に設置された左右の桟瓦１，１上に葺土９を介在させた状態で、その上に最下段の熨斗瓦２Ａを設置するが、その際に、図５の右側の熨斗瓦２Ａで示すように、該熨斗瓦２Ａの下面で桟瓦１上の葺土９を押さえ付けてその棟側縁部２ａを最下段に位置する右側の１段目縁部載掛部５１に載せ掛ける。このとき、右側１段目の熨斗瓦２Ａの軒側縁部２ｂ（図５）も桟瓦１の上面に接合させるが、この状態では、右側１段目の熨斗瓦２Ａが、上下方向及び内外方向の正確な適正位置に位置決めされることになる。
【００４５】
次に、上記位置決めされた右側１段目の熨斗瓦２Ａに対して、その棟側縁部２ａにある釘挿通穴（３箇所ある）２３を通して釘１０を熨斗瓦位置決め台４（第１段長尺角材４１）に打ち込むと、該右側１段目の熨斗瓦２Ａを熨斗瓦位置決め台４に強固に固定できる。そして、左側１段目の熨斗瓦２Ａ（図１）も同様に、その棟側縁部２ａを左側１段目の縁部載掛部５１に載せ掛けた状態で、釘挿通穴２３を通して釘１０を熨斗瓦位置決め台４に打ち込むと、左右の各１段目の熨斗瓦２Ａ，２Ａを設置できる。尚、この１段目の各熨斗瓦２Ａ，２Ａの施工は、棟長さ方向の全長に亘って順次行われる。
【００４６】
１段目の熨斗瓦２Ａ，２Ａの設置が完了した後、該１段目の熨斗瓦２Ａ，２Ａの上に２段目の左右各熨斗瓦２Ｂ，２Ｂを積み重ねるが、該２段目の左右各熨斗瓦２Ｂ，２Ｂも上記と同様に、その各棟側縁部２ａ，２ａをそれぞれ２段目の左右各縁部載掛部５２，５２に載せ掛けし、続いて釘挿通穴２３を通して釘１０を熨斗瓦位置決め台４（第２段長尺角材４２）に打ち込むことで、左右の各２段目の熨斗瓦２Ｂ，２Ｂを設置できる。
【００４７】
そして、図１に示すように、３段目以降の各段の熨斗瓦２Ｃ，２Ｄ，２Ｅを上記同様に積み上げた後、最上段の各熨斗瓦２Ｅ，２Ｅの上に冠瓦３を載せ、該冠瓦３をその上面側から第７段長尺角材４０Ｂに対してビス（パッキン付きビス）８で固定することで、この実施例の棟瓦全体を構築できる。尚、この実施例では、第１段熨斗瓦２Ａより上側の各瓦間（上下熨斗瓦間及び最上段熨斗瓦３Ｅと冠瓦３間）には、それぞれ葺土９を介在させていない。
【００４８】
この実施例の熨斗瓦設置構造は、次のような機能を有している。
【００４９】
まず、屋根稜線部Ｐの左右に積層される各熨斗瓦２Ａ〜２Ｅの各棟側縁部２ａを、屋根稜線部Ｐ上に固定した熨斗瓦位置決め台４の左右各側面に形成している各段の縁部載掛部５１〜５５にそれぞれ載せ掛けしているので、左右各組の各熨斗瓦２Ａ，２Ａ〜２Ｅ，２Ｅ同士の高さをそれぞれ正確に位置決めできる。従って、各段の熨斗瓦２Ａ〜２Ｅの高さが棟長さ方向に直線状に揃うので、該各熨斗瓦２Ａ〜２Ｅを美観的にきれいに施工できるとともに、各熨斗瓦２Ａ〜２Ｅの正確な高さ合わせを容易に行える。
【００５０】
又、左右の各熨斗瓦２Ａ〜２Ｅは、その各棟側縁部２ａを屋根稜線部Ｐに固定した熨斗瓦位置決め台４の各縁部載掛部５１〜５５に載せ掛けた状態で、該各棟側縁部２ａを熨斗瓦位置決め台４に対して釘打ちにより固定しているので、該各熨斗瓦２Ａ〜２Ｅの組付け強度を強くできる（例えば大きな地震が発生したときでも、各熨斗瓦が棟上部の構造体に対して位置ずれしたり崩落しない）。
【００５１】
又、熨斗瓦位置決め台４の左右各側面に設けた左右各段の縁部載掛部５１〜５５は、上側（狭幅）の長尺角材の幅中心を下側（広幅）の長尺角材の幅中心に位置合わせした状態で積み重ねることで、各長尺角材４１〜４５の上面側左右両角部にそれぞれ自動的に（特別な加工を施すことなく）形成することができる。
【００５２】
さらに、左右の各熨斗瓦２Ａ〜２Ｅの棟側縁部２ａを上記各縁部載掛部５１〜５５に載せ掛けた状態では、該熨斗瓦２Ａ〜２Ｅの棟側縁部２ａの前端が衝合部４２ａ〜４６ａに衝合することで、該各熨斗瓦２Ａ〜２Ｅの左右位置をそれぞれ適正位置に位置決めできるので、各熨斗瓦２Ａ〜２Ｅの外端が内外方向に出入りすることなくきれいに施工できるとともに、その各熨斗瓦２Ａ〜２Ｅの内外方向の位置合わせを容易に行える。
【００５３】
又、上記各衝合部４２ａ〜４６ａは、上記各長尺角材４２〜４６の左右各側面を利用しているので、特別な加工をすることなく形成できる。
【００５４】
尚、この実施例で使用されている釘挿通穴２３付きの各熨斗瓦２Ａ〜２Ｅは、図６に示すように左右１組の熨斗瓦を針金で結束する場合にも使用でき、その場合には上記釘挿通穴２３を針金挿通穴として利用することができる。
【符号の説明】
【００５５】
１は桟瓦、２Ａ〜２Ｅは各段の熨斗瓦、２ａは熨斗瓦の棟側縁部、３は冠瓦、４は熨斗瓦位置決め台、１０は釘、２３は釘挿通穴、４１〜４５は長尺角材、４２ａ〜４６ａは衝合部、５１〜５５は縁部載掛部、Ｐは屋根稜線部である。
【図１】
0006284101.tif 000002
【図２】
0006284101.tif 000003
【図３】
0006284101.tif 000004
【図４】
0006284101.tif 000005
【図５】
0006284101.tif 000006
【図６】
0006284101.tif 000007